(57)【要約】【課題】作業スペースを従来の本体容器の開口内だけ使える構成と比べて約２倍に広げてユーザーの使い勝手をよくすることができる道具箱を提供する。【解決手段】道具箱１００は、本体部１１０と蓋部１２０とトレイ部１３０と取っ手部１４０とを備え、本体部１１０が、本体部の内側においてトレイ部と係合自在な本体側係合部分１１１を有し、蓋部１２０が、本体部に対して揺動自在に連結され、蓋部の内側においてトレイ部と係合自在な蓋側係合部分１２１を有し、取っ手部１４０が、蓋部１２０と連結されて設けられ、蓋部１２０を閉じた状態のときに鉛直方向上側となり、蓋部１２０を開いた状態のときに鉛直方向下側になるとともに道具箱１００の設置面ＧＤと接触し、蓋部１２０が開かれて、トレイ部１３０が本体部１１０の内部から蓋部１２０の内部に移された状態のとき、トレイ部１３０の姿勢が、設置面ＧＤに対して平行な構成である。【選択図】図３
0003223832.tif 000002
【実用新案登録請求の範囲】
【請求項１】
本体部と蓋部とトレイ部と取っ手部とを備えて本体部の内部に道具を収納する道具箱であって、
前記本体部が、前記本体部の内側においてトレイ部と係合自在な本体側係合部分を有し、
前記蓋部が、前記本体部に対して揺動自在に連結され、蓋部の内側においてトレイ部と係合自在な蓋側係合部分を有し、
前記取っ手部が、前記蓋部と連結されて設けられ、蓋部を閉じた状態のときに鉛直方向上側となり、蓋部を開いた状態のときに鉛直方向下側になるとともに道具箱の設置面と接触し、
前記蓋部が開かれて、前記トレイ部が本体部の内部から蓋部の内部に移された状態のとき、前記トレイ部の姿勢が、前記設置面に対して平行な構成であることを特徴とする道具箱。
【請求項２】
前記取っ手部が、前記蓋部に対して揺動自在に連結されているとともに、前記取っ手部および蓋部の一方が、凸部分を有し、前記取っ手部および蓋部の他方が、前記凸部分と係合自在な凹部分を有し、
前記蓋部に対する取っ手部の位置・姿勢に応じて凸部分と凹部分との係合・非係合が切り替わり、
前記蓋部が開かれて、前記取っ手部が蓋部を支持しているとき、前記凸部分が、前記凹部分と係合する構成であることを特徴とする請求項１に記載の道具箱。
【考案の詳細な説明】
【技術分野】
【０００１】
本考案は、本体部と蓋部とトレイ部と取っ手部とを備えて本体部の内部に道具を収納する道具箱に関する。
【背景技術】
【０００２】
従来、矩形状の本体容器と、本体容器の上部輪郭に対応して設けられた蓋体と、ハンドルと、内部トレイとを備えた工具箱が知られている（例えば、特許文献１）。
【先行技術文献】
【特許文献】
【０００３】
【特許文献１】特開平８−９０４５７号公報（特に、段落００１５〜００１８、図２参照）
【考案の概要】
【考案が解決しようとする課題】
【０００４】
しかしながら、上述した従来の工具箱は、蓋体と本体容器とがヒンジによって連結され、蓋開のときに、ヒンジ自体の回動規制、または、蓋体と本体容器との接触による回動規制により蓋体の姿勢が水平方向に対して約４５度起き上がっているような傾いた姿勢となる構造であったため、ユーザーが使える作業スペースが本体容器の開口内だけで十分でないという問題があった。
【０００５】
そこで、本考案は、前述したような従来技術の問題を解決するものであって、すなわち、本考案の目的は、作業スペースを従来の本体容器の開口内だけ使える構成と比べて約２倍に広げてユーザーの使い勝手をよくすることができる道具箱を提供することである。
【課題を解決するための手段】
【０００６】
本請求項１に係る考案は、本体部と蓋部とトレイ部と取っ手部とを備えて本体部の内部に道具を収納する道具箱であって、前記本体部が、前記本体部の内側においてトレイ部と係合自在な本体側係合部分を有し、前記蓋部が、前記本体部に対して揺動自在に連結され、蓋部の内側においてトレイ部と係合自在な蓋側係合部分を有し、前記取っ手部が、前記蓋部と連結されて設けられ、蓋部を閉じた状態のときに鉛直方向上側となり、蓋部を開いた状態のときに鉛直方向下側になるとともに道具箱の設置面と接触し、前記蓋部が開かれて、前記トレイ部が本体部の内部から蓋部の内部に移された状態のとき、前記トレイ部の姿勢が、前記設置面に対して平行な構成であることにより、前述した課題を解決するものである。
【０００７】
本請求項２に係る考案は、請求項１に記載された道具箱の構成に加えて、前記取っ手部が、前記蓋部に対して揺動自在に連結されているとともに、前記取っ手部および蓋部の一方が、凸部分を有し、前記取っ手部および蓋部の他方が、前記凸部分と係合自在な凹部分を有し、前記蓋部に対する取っ手部の位置・姿勢に応じて凸部分と凹部分との係合・非係合が切り替わり、前記蓋部が開かれて、前記取っ手部が蓋部を支持しているとき、前記凸部分が、前記凹部分と係合する構成であることにより、前述した課題をさらに解決するものである。
【考案の効果】
【０００８】
本考案の道具箱は、本体部と蓋部とトレイ部と取っ手部とを備えていることにより、本体部の内部に道具を収納することができるばかりでなく、以下のような特有の効果を奏することができる。
【０００９】
本請求項１に係る考案の道具箱によれば、ユーザーが作業する際、蓋部を開けると蓋部が取っ手部によって支持されてトレイ部を蓋部の内側に配設自在となり、道具箱をほぼ水平な設置面に設置すると蓋部の内側に配設したトレイ部の姿勢もほぼ水平となり、本体部の開口内だけでなく蓋部の開口内のトレイ部の領域も作業スペースとして使えるようになるため、作業スペースを従来の本体部の開口内だけ使える構成と比べて約２倍に広げることができ、ユーザーの使い勝手をよくすることができる。
【００１０】
本請求項２に係る考案の道具箱によれば、請求項１に係る考案が奏する効果に加えて、取っ手部が設置面と接触するとともに蓋部を支持しているときに蓋部に対する取っ手部の姿勢が安定状態となり、取っ手部に支持された蓋部およびトレイ部の姿勢も安定するため、蓋部およびトレイ部はユーザーに対して安定した作業スペースを提供することができる。
【図面の簡単な説明】
【００１１】
【図１】本考案の第１実施例である道具箱の概念であって蓋閉状態を示す斜視図。
【図２】本考案の第１実施例である道具箱の蓋開状態を示す斜視図。
【図３】本考案の第１実施例である道具箱の蓋開でトレイ部を蓋部にセットした状態を示す斜視図。
【図４】図２および図３における符号４から視た側面図。
【図５】（Ａ）（Ｂ）は第１実施例の道具箱の取っ手部の凸部分と蓋部の凹部分との関係を示す原理図。
【図６】（Ａ）〜（Ｃ）は第２実施例の道具箱の取っ手部の凹部分と蓋部の凸部分との関係を示す原理図。
【考案を実施するための形態】
【００１２】
本考案の道具箱は、本体部と蓋部とトレイ部と取っ手部とを有し、本体部が、本体部の内側においてトレイ部と係合自在な本体側係合部分を有し、蓋部が、本体部に対して揺動自在に連結され、蓋部の内側においてトレイ部と係合自在な蓋側係合部分を有し、取っ手部が、蓋部と連結されて設けられ、蓋部を閉じた状態のときに鉛直方向上側となり、蓋部を開いた状態のときに鉛直方向下側になるとともに道具箱の設置面と接触し、蓋部が開かれて、トレイ部が本体部の内部から蓋部の内部に移された状態のとき、トレイ部の姿勢が、設置面に対して平行な構成であることにより、作業スペースを従来の本体部の開口内だけ使える構成と比べて約２倍に広げることができ、ユーザーの使い勝手をよくすることができるものであれば、その具体的な実施態様は、如何なるものであっても構わない。
【００１３】
例えば、トレイ部が本体部の内部から蓋部の内部に移された状態のときのトレイ部と蓋部との係合の仕方は、面接触でもよいし点接触でもよい。
また、蓋部を開いて取っ手部が設置面と接触している状態のとき、トレイ部の姿勢が、設置面に対して平行であればよく、蓋部の開口縁部分で構成される開口面の姿勢は、設置面に対して平行でなくてもよい。
【実施例１】
【００１４】
以下に、本考案の第１実施例である道具箱１００について、図１乃至図５（Ｂ）に基づいて説明する。
ここで、図１は、本考案の第１実施例である道具箱１００の概念であって蓋閉状態を示す斜視図であり、図２は、本考案の第１実施例である道具箱１００の蓋開状態を示す斜視図であり、図３は、本考案の第１実施例である道具箱１００の蓋開でトレイ部１３０を蓋部１２０にセットした状態を示す斜視図であり、図４は、図２および図３における符号４から視た側面図であり、図５（Ａ）は、第１実施例の道具箱１００の取っ手部１４０を蓋部１２０に対して起き上がらせた姿勢にしたときの取っ手部１４０の凸部分１４２と蓋部１２０の凹部分１２３との関係を示す原理図であり、図５（Ｂ）は、第１実施例の道具箱１００の取っ手部１４０を蓋部１２０に対して寝かせた姿勢にして収納したときの取っ手部１４０の凸部分１４２と蓋部１２０の凹部分１２３との関係を示す原理図である。
【００１５】
本考案の第１実施例である道具箱１００は、図１〜図４に示すように、本体部１１０と、蓋部１２０と、トレイ部１３０と、取っ手部１４０とを備えている。
そして、本体部１１０の内部に工具、ねじ、釘、スプレー缶などの道具（図示せず）を収納するように構成されている。
トレイ部１３０は、基本的に、図１に示すような蓋閉状態、および、図２に示すような蓋閉から蓋開にした状態では、本体部１１０の内側に配設されている。
なお、図中に示す符号ＶＴは、鉛直方向上向きである。
【００１６】
本実施例では、図２〜図４に示すように、本体部１１０が、本体部１１０の内側においてトレイ部１３０と係合自在な本体側係合部分１１１を有している。
つまり、トレイ部１３０が本体部１１０の内側に配設されているとき、本体側係合部分１１１がトレイ部１３０と接触してトレイ部１３０を下方から支えるように構成されている。
なお、本体側係合部分１１１については、本体部１１０の内側において形成した突起によって構成してもよいし、本体部１１０の内側において形成した段差によって構成してもよい。
【００１７】
また、蓋部１２０が、本体部１１０に対して揺動自在に一例としてヒンジ機構１５０により連結されている。
そして、蓋閉状態では、本体部１１０におけるヒンジ機構１５０が設けられた側と反対側に設けられた係り留め機構であるバックル１６０によって蓋部１２０が本体部１１０に対して留められる。
さらに、蓋部１２０の内側においてトレイ部１３０と係合自在な蓋側係合部分１２１を有している。
なお、蓋側係合部分１２１については、蓋部１２０の内側において形成した突起によって構成してもよいし、蓋部１２０の内側において形成した段差によって構成してもよい。
【００１８】
また、取っ手部１４０が、蓋部１２０と連結されて設けられている。
そして、蓋部１２０を閉じた状態のとき、取っ手部１４０が蓋部１２０に対して鉛直方向上側（鉛直方向上向きＶＴの矢印の指す側）となる。
他方、蓋部１２０を開いた状態のとき、取っ手部１４０が蓋部１２０に対して鉛直方向下側（鉛直方向上向きＶＴの矢印の指す向きと反対側）になるとともに道具箱１００の設置面ＧＤと接触する。
【００１９】
さらに、図３および図４に示すように、蓋部１２０が開かれて、トレイ部１３０が本体部１１０の内部から蓋部１２０の内部に移された状態のとき、トレイ部１３０の姿勢が、設置面ＧＤ（本体部１１０の底面）に対して平行となるように構成されている。
これにより、ユーザーが作業する際、蓋部１２０を開けると蓋部１２０が取っ手部１４０によって支持されてトレイ部１３０を蓋部１２０の内側に配設自在となる。
また、道具箱１００をほぼ水平な設置面ＧＤに設置すると蓋部１２０の内側に配設したトレイ部１３０の姿勢もほぼ水平となる。
そして、本体部１１０の開口内だけでなく蓋部１２０の開口内のトレイ部１３０の領域も作業スペースとして使えるようになる。
この際、ユーザーは、例えば、トレイ部１３０のつまみ部分１３１をつまんでトレイ部１３０を本体部１１０の内側から蓋部１２０の内側に移動させて配設する。
すると、トレイ部１３０は、蓋側係合部分１２１と接触して蓋側係合部分１２１によって下方から支える。
その結果、作業スペースを従来の本体部１１０の開口内だけ使える構成と比べて約２倍に広げることができ、ユーザーの使い勝手をよくすることができる。
例えば、蓋部１２０の内側に配設したトレイ部１３０の上面にネジなどを並べたとき、トレイ部１３０の上面の姿勢がほぼ水平となる。
その結果、ネジなどが自重によって勝手に転がらず、作業準備や作業をする際の使い勝手をよくすることができる。
【００２０】
また、図５（Ａ）および図５（Ｂ）に示すように、取っ手部１４０が、蓋部１２０に対して揺動自在に連結されている。
一例として、蓋部１２０が、取っ手揺動軸１２２を有し、他方の取っ手部１４０が、軸係合穴１４１を有している。
そして、蓋部１２０の取っ手揺動軸１２２が、取っ手部１４０の軸係合穴１４１と係合することにより、取っ手部１４０が蓋部１２０に対して揺動自在に連結されている。
さらに、取っ手部１４０および蓋部１２０の一方である取っ手部１４０が、凸部分１４２を有している。
また、取っ手部１４０および蓋部１２０の他方である蓋部１２０が、凸部分１４２と係合自在な凹部分１２３を有している。
【００２１】
そして、蓋部１２０に対する取っ手部１４０の位置・姿勢に応じて凸部分１４２と凹部分１２３との係合・非係合が切り替わり、蓋部１２０が開かれて、取っ手部１４０が蓋部１２０を支持しているとき、凸部分１４２が、凹部分１２３と係合するように構成されている。
つまり、取っ手部１４０が蓋部１２０に対して起き上がらせた状態のとき、凸部分１４２が、凹部分１２３と係合する構成である。
これにより、取っ手部１４０が設置面ＧＤと接触するとともに蓋部１２０を支持しているときに蓋部１２０に対する取っ手部１４０の姿勢が安定状態となる。
そして、取っ手部１４０に支持された蓋部１２０およびトレイ部１３０の姿勢も安定する。
その結果、蓋部１２０およびトレイ部１３０はユーザーに対して安定した作業スペースを提供することができる。
なお、取っ手部１４０側に凸部分１４２を設け、他方の蓋部１２０側に凹部分１２３を設けたが、凹凸の関係が逆の構成でもよいのは勿論である。
【００２２】
このようにして得られた本考案の第１実施例である道具箱１００は、本体部１１０と蓋部１２０とトレイ部１３０と取っ手部１４０とを備え、本体部１１０が、本体部１１０の内側においてトレイ部１３０と係合自在な本体側係合部分１１１を有し、蓋部１２０が、本体部１１０に対して揺動自在に連結され、蓋部１２０の内側においてトレイ部１３０と係合自在な蓋側係合部分１２１を有し、取っ手部１４０が、蓋部１２０と連結されて設けられ、蓋部１２０を閉じた状態のときに鉛直方向上側となり、蓋部１２０を開いた状態のときに鉛直方向下側になるとともに道具箱１００の設置面ＧＤと接触し、蓋部１２０が開かれて、トレイ部１３０が本体部１１０の内部から蓋部１２０の内部に移された状態のとき、トレイ部１３０の姿勢が、設置面ＧＤに対して平行な構成であることにより、作業スペースを従来の本体部１１０の開口内だけ使える構成と比べて約２倍に広げることができ、ユーザーの使い勝手をよくすることができる。
【００２３】
さらに、取っ手部１４０が、蓋部１２０に対して揺動自在に連結されているとともに、取っ手部１４０および蓋部１２０の一方としての取っ手部１４０が、凸部分１４２を有し、取っ手部１４０および蓋部１２０の他方としての蓋部１２０が、凸部分１４２と係合自在な凹部分１２３を有し、蓋部１２０に対する取っ手部１４０の位置・姿勢に応じて凸部分１４２と凹部分１２３との係合・非係合が切り替わり、蓋部１２０が開かれて、取っ手部１４０が蓋部１２０を支持しているとき、凸部分１４２が、凹部分１２３と係合する構成であることにより、蓋部１２０およびトレイ部１３０はユーザーに対して安定した作業スペースを提供することができるなど、その効果は甚大である。
【実施例２】
【００２４】
続いて、本考案の第２実施例である道具箱２００について、図６（Ａ）〜図６（Ｃ）に基づいて説明する。
ここで、図６（Ａ）は、第２実施例の道具箱２００の蓋閉で取っ手部２４０を蓋部２２０に対して寝かせた姿勢で収納した状態のときの取っ手部２４０の凹部分２４１ａと蓋部２２０の凸部分２２２ａとの関係を示す原理図であり、図６（Ｂ）は、第２実施例の道具箱２００の蓋閉で取っ手部２４０を蓋部２２０に対して起き上がらせた状態のときの取っ手部２４０の凹部分２４１ａと蓋部２２０の凸部分２２２ａとの関係を示す原理図であり、図６（Ｃ）は、第２実施例の道具箱２００の蓋開で取っ手部２４０を蓋部２２０に対して起き上がらせた状態のときの取っ手部２４０の凹部分２４１ａと蓋部２２０の凸部分２２２ａとの関係を示す原理図である。
第２実施例の道具箱２００は、第１実施例の道具箱１００の蓋部１２０と取っ手部１４０との連結部分の構造を変更したものであり、多くの要素について第１実施例の道具箱１００と共通するので、共通する事項については詳しい説明を省略し、下２桁が共通する２００番台の符号を付すのみとする。
【００２５】
本考案の第２実施例である道具箱２００において、図６（Ａ）に示すように、蓋部２２０が、取っ手揺動軸２２２を有し、取っ手部２４０が、軸係合穴２４１を有している。
そして、蓋部２２０の取っ手揺動軸２２２が、取っ手部２４０の軸係合穴２４１と係合することにより、取っ手部２４０が蓋部２２０に対して揺動自在に連結されている。
さらに、取っ手揺動軸２２２は、鉛直方向上側に向かって突出した凸部分２２２ａを有している。
他方、軸係合穴２４１は、取っ手揺動軸２２２の凸部分２２２ａと係合自在な凹部分２４１ａを有している。
【００２６】
そして、図６（Ｂ）に示すように、取っ手部２４０を蓋部２２０に対して起き上がらせた姿勢となったとき、凸部分２２２ａは、凹部分２４１ａと対向するように構成されている。
図６（Ｂ）に示すように、ユーザーが取っ手部２４０をつかんで道具箱２００を持ち運んでいるとき、道具箱２００に重力が作用して取っ手揺動軸２２２が軸係合穴２４１における鉛直方向下側と接触するため、凸部分２２２ａは、凹部分２４１ａと対向するだけで係合しない。
つまり、取っ手部２４０は蓋部２２０に対して揺動自在な状態である。
【００２７】
そして、図６（Ｃ）に示すように、ユーザーが蓋部２２０を本体部２１０に対して揺動させて蓋開にして取っ手部２４０を設置面ＧＤと接触させる。
すると、取っ手部２４０が蓋部２２０を鉛直方向下方から支えるようになり、蓋部２２０の重力が取っ手部２４０に対して作用して取っ手揺動軸２２２が軸係合穴２４１における鉛直方向下側と接触するため、凸部分２２２ａは、凹部分２４１ａと対向しつつ係合する。
つまり、取っ手部２４０を蓋部２２０に対して揺動ロック状態とすることができる。
【００２８】
なお、技術的思想としては、蓋開であって取っ手部２４０が蓋部２２０に対して起き上がった姿勢のとき、凸部分２２２ａと凹部分２４１ａとが重力の作用によって係合して、取っ手部２４０は蓋部２２０に対して揺動ロック状態となればよく、取っ手部２４０の軸係合穴２４１側に凹部分２４１ａを設け、他方の蓋部２２０の取っ手揺動軸２２２側に凸部分２２２ａを設けたが、凹凸の関係が逆の構成でもよいのは勿論である。
また、取っ手部２４０側に軸係合穴２４１を設け、他方の蓋部２２０側に取っ手揺動軸２２２を設けたが、軸と係合穴の関係が逆の構成でもよいのは勿論である。
取っ手部２４０の蓋部２２０に対する揺動ロック状態を解除する場合、取っ手部２４０を蓋部２２０に対して引っ張るように移動させると、凸部分２２２ａが凹部分２４１ａから抜けるように移動して凸部分２２２ａと凹部分２４１ａとの係合が解除され、揺動ロック状態が解除されて揺動自在な状態となる。
【００２９】
このようにして得られた本考案の第２実施例である道具箱２００において、取っ手部２４０が、蓋部２２０に対して揺動自在に連結されているとともに、取っ手部２４０および蓋部２２０の一方としての蓋部２２０が、凸部分２２２ａを有し、取っ手部２４０および蓋部２２０の他方としての取っ手部２４０が、凸部分２２２ａと係合自在な凹部分２４１ａを有し、蓋部２２０に対する取っ手部２４０の位置・姿勢に応じて凸部分２２２ａと凹部分２４１ａとの係合・非係合が切り替わり、蓋部２２０が開かれて、取っ手部２４０が蓋部２２０を支持しているとき、凸部分２２２ａが、凹部分２４１ａと係合する構成であることにより、蓋部２２０およびトレイ部２３０はユーザーに対して安定した作業スペースを提供することができるなど、その効果は甚大である。
【符号の説明】
【００３０】
１００、２００  ・・・  道具箱
１１０、２１０  ・・・  本体部
１１１          ・・・  本体側係合部分
１２０、２２０  ・・・  蓋部
１２１          ・・・  蓋側係合部分
１２２、２２２  ・・・  取っ手揺動軸
２２２ａ・・・  凸部分
１２３          ・・・  凹部分
１３０、２３０  ・・・  トレイ部
１３１          ・・・  つまみ部分
１４０、２４０  ・・・  取っ手部
１４１、２４１  ・・・  軸係合穴
２４１ａ・・・  凹部分
１４２          ・・・  凸部分
１５０          ・・・  ヒンジ機構
１６０          ・・・  バックル
ＶＴ            ・・・  鉛直方向上向き
ＧＤ            ・・・  （道具箱の）設置面
【図１】
0003223832.tif 000003
【図２】
0003223832.tif 000004
【図３】
0003223832.tif 000005
【図４】
0003223832.tif 000006
【図５】
0003223832.tif 000007
【図６】
0003223832.tif 000008